(57)【要約】【課題】光ディスクプレーヤーを一体に備えている光ディスクプレーヤー一体型のテレビジョン受像機について、その修理に掛る手間とコストを低減可能にする。【解決手段】光ディスクプレーヤーをテレビジョン受像機１０とは独立したプレーヤーユニット１７として構成し、該ユニット１７をスタンド１４のプレーヤー配置空所１６に着脱可能に嵌め込み、上記プレーヤー配置空所に組み込まれたプレーヤーユニットの離脱を防止する係合部２６をプレーヤーユニットの適所に設ける一方プレーヤー配置空所を形成する箇所に上記係合部と係合可能な係合相手部２７を設け、光ディスクプレーヤーとテレビジョン受像機を映像端子、音声端子及びＤＣ電源端子にて着脱可能に接続し、テレビジョン機能を損なうことなく光ディスクプレーヤーを取り外し可能に構成する。【選択図】          図１
2010219939.tif 000002
【特許請求の範囲】
【請求項１】
テレビジョン受像機と光ディスクプレーヤーの映像信号及び音声信号をモニターに供給して映像と音声を視聴する構成を備えた光ディスクプレーヤー一体型テレビジョン受像機であって、光ディスクプレーヤーはテレビジョン受像機とは独立したプレーヤーユニットとして構成し、スタンドに代表されるテレビジョン受像機の支持装置又はテレビジョン受像機自体の背面に設けられたプレーヤー配置空所にプレーヤーユニットを嵌め込んでテレビジョン受像機に一体的に組み込み、上記プレーヤー配置空所に組み込まれたプレーヤーユニットの離脱を防止するために、プレーヤーユニットの適所に係合部を設けるとともに、プレーヤー配置空所を形成する箇所に上記係合部と係合可能な係合相手部を設け、光ディスクプレーヤーとテレビジョン受像機を映像端子、音声端子及びＤＣ電源端子にて着脱可能に接続し、テレビジョン機能を損なうことなく光ディスクプレーヤーを取り外し可能としたことを特徴とする光ディスクプレーヤー一体型テレビジョン受像機。
【請求項２】
プレーヤー配置空所は、その内奥に映像端子、音声端子及びＤＣ電源端子の接続のための開口部を有している請求項１記載の光ディスクプレーヤー一体型テレビジョン受像機。
【請求項３】
プレーヤー配置空所は、テレビジョン受像機のモニターを立てるスタンドの台部分に設けられており、その正面にプレーヤーユニットを挿入する開口を有し、プレーヤー配置空所の内部の左右には前後方向のガイド部を設置してガイド受けを有するプレーヤーユニットの抜き差しを可能にするとともに、プレーヤー配置空所内面に係合相手部が設けられている請求項１記載の光ディスクプレーヤー一体型テレビジョン受像機。
【請求項４】
プレーヤー配置空所は、プレーヤーユニットを嵌め込むために、テレビジョン受像機のモニターを立てるスタンドの台部分の上面に設けられた、プレーヤーユニットの平面形状よりも一回り大きい平面形状を有する凹部であり、かつ、プレーヤー配置空所内面に係合相手部が設けられている請求項１記載の光ディスクプレーヤー一体型テレビジョン受像機。
【請求項５】
プレーヤー配置空所は、テレビジョン受像機自体の背面に設けられており、その側面にプレーヤーユニットを挿入する開口を有し、かつ、プレーヤー配置空所内面に係合相手部が設けられている請求項１記載の光ディスクプレーヤー一体型テレビジョン受像機。
【発明の詳細な説明】
【技術分野】
【０００１】
本発明は、テレビジョン受像機とＤＶＤプレーヤーなどの光ディスクプレーヤーの映像信号及び音声信号をモニターに供給して映像と音声を視聴する構成を備えた光ディスクプレーヤー一体型テレビジョン受像機に関するものである。
【背景技術】
【０００２】
テレビジョン受像機に内蔵された、例えばＤＶＤプレーヤーなどの光ディスクプレーヤーを有し、テレビジョン受像機のチューナー等を光ディスクプレーヤーに共用した、光ディスクプレーヤー内蔵のテレビジョン受像機は公知であり、市場において一定のシェアを得ている。ところが、スロットイン型のＤＶＤプレーヤーなどの場合、ディスク取り込みのトラブルが多く、故障の訴えや不良品交換の要請が絶えないという問題がある。不良品率は、例えばテレビジョン受像機よりも、ＤＶＤプレーヤーの不良品率の方が一桁ないし二桁ほども多く、メーカーは修理等のための問い合わせや引き取りに追われているといっても過言ではない。
【０００３】
実際に光ディスクプレーヤーに不具合があった場合、販売店にはメーカーの修理部門に送り返す手間がかかる。しかも、テレビジョン受像機も光ディスクプレーヤーとともに移動するのであるから、依頼者はテレビジョン受像機を使用することができなくなり、販売店は代わりのテレビジョン受像機を貸し出すことになるので、非常に煩わしいとともに、修理、回収に伴って生ずるコストが大きな負担になっている。また、一般的に光ディスクプレーヤーの機械的寿命はテレビジョン受像機に比較して短いため、光ディスクプレーヤーの製品寿命が尽きて処分する場合には、健全なテレビジョン受像機まで廃棄しなければならないという不合理性もある。
【０００４】
このような問題に対処するには、光ディスクプレーヤー内蔵のテレビジョン受像機から光ディスクプレーヤーだけを取り外せばよいわけであるが、電気製品の安全上、製品の分解が禁止されており、また、テレビジョン受像機のチューナー等を光ディスクプレーヤーに共用しているので、分解したとしても、光ディスクプレーヤー部分を取り外すことによってテレビジョン受像機も視聴することができなくなり、問題は解決されない。こうした事情は、特開２００８-１９８２４６号或いは特開２００８-２５８９５０号に開示されているように、光ディスクプレーヤー一体型のテレビジョン受像機に共通する問題である。
【０００５】
【特許文献１】特開２００８-１９８２４６号
【特許文献２】特開２００８-２５８９５０号
【発明の開示】
【発明が解決しようとする課題】
【０００６】
本発明は前記の点に着目してなされたもので、その課題は、ＣＤ、ＤＶＤ、Ｂｌｕ−ｒａｙ  Ｄｉｓｃ（ＢＤ）（いずれも登録商標）などの光ディスクを再生する光ディスクプレーヤーを一体に備えている光ディスクプレーヤー一体型のテレビジョン受像機について、その修理に掛る手間とコストを低減可能にすることである。また、本発明の他の課題は、光ディスクプレーヤーの修理中でもテレビジョン受像機は問題なく視聴できるようにすることである。
【課題を解決するための手段】
【０００７】
前記の課題を解決するため、本発明は、テレビジョン受像機と光ディスクプレーヤーの映像信号及び音声信号をモニターに供給して映像と音声を視聴する構成を備えた光ディスクプレーヤー一体型テレビジョン受像機について、光ディスクプレーヤーはテレビジョン受像機とは独立したプレーヤーユニットとして構成し、スタンドに代表されるテレビジョン受像機の支持装置又はテレビジョン受像機自体の背面に設けられたプレーヤー配置空所にプレーヤーユニットを嵌め込んでテレビジョン受像機と一体的に組み込み、上記プレーヤー配置空所に組み込まれたプレーヤーユニットの離脱を防止するために、プレーヤーユニットの適所に係合部を設けるとともに、プレーヤー配置空所を形成する箇所に上記係合部と係合可能な係合相手部を設け、光ディスクプレーヤーとテレビジョン受像機を映像端子、音声端子及びＤＣ電源端子にて着脱可能に接続し、テレビジョン機能を損なうことなく光ディスクプレーヤーを取り外し可能に構成するという手段を講じたものである。
【０００８】
光ディスクプレーヤーはスロットイン型ＤＶＤプレーヤーが主たる対象になるが、スロットイン型ＤＶＤプレーヤー以外のものについても本発明を適用することは可能であり、例えば、ＣＤ或いはＢＤプレーヤーについても本発明の装置を適用することができる。本発明の装置は、テレビジョン受像機に一体化されたスロットイン型などの光ディスクプレーヤーを有し、テレビジョン受像機と光ディスクプレーヤーの映像信号及び音声信号をモニターに供給して映像と音声を視聴する構成を備えた光ディスクプレーヤー一体型テレビジョン受像機に関するものであり、特に、テレビジョン受像機のチューナー等を光ディスクプレーヤーと共用しない構成を有するものである。本発明における光ディスクプレーヤー一体型のテレビジョン受像機は、テレビジョン受像機のチューナー等を光ディスクプレーヤーに共用していないので、従来の光ディスクプレーヤー内蔵のテレビジョン受像機と異なっている。
【０００９】
即ち、本発明において、スロットイン型などの光ディスクプレーヤーはテレビジョン受像機とは独立したプレーヤーユニットを構成するものである。つまり、本発明における光ディスクプレーヤーは、テレビジョン受像機に映像信号、音声信号を送信する機能を備えた、独立したプレーヤーユニットとして構成されている。
【００１０】
上記プレーヤーユニットは、スタンドに代表されるテレビジョン受像機の支持装置又はテレビジョン受像機自体の背面に設けられたプレーヤー配置空所に嵌め込んでテレビジョン受像機に一体的に組み込まれる。スタンドに代表されるとは、テレビジョン受像機のモニターを立てて置くスタンド以外にも、モニターを壁などに吊るす吊り掛け装置などを含む意味であり、スタンドの台構造や吊り掛け構造の構造体がプレーヤー配置空所の設置場所として利用される。また、テレビジョン受像機自体の背面という場合、液晶やプラズマ方式のモニターを有するいわゆる薄型ＴＶを想定しているが、ブラウン管方式のものにも適用できることは明らかであり、それらのモニターの背面の一部にプレーヤー配置空所を設置するものである。
【００１１】
上記プレーヤー配置空所に組み込まれたプレーヤーユニットの離脱を防止するために、プレーヤーユニットの適所に係合部を設けるとともに、プレーヤー配置空所を形成する箇所に上記係合部と係合可能な係合相手部を設ける。プレーヤーユニットを差し込み式のプレーヤー配置空所に嵌め込む形態では、差し込み終わった時点で前後又は左右の抜け出し方向を除いて一応安定し、また、プレーヤーユニットをプレーヤー配置空所へこみに上方から嵌め込む形態では、嵌め込み部分から上方へ抜け出し得るがそれ以外の方向では一応安定する。このように、プレーヤーユニットをプレーヤー配置空所に嵌め込むことによって一応の安定を得るものの、なお抜け出す可能性があるので係合部と係合相手部とから成る離脱防止手段を設けるものである。
【００１２】
プレーヤー配置空所は、テレビジョン受像機のモニターを立てるスタンドの台部分に設けることができる。その台部分の正面にプレーヤーユニットを挿入する開口を有する構成は望ましい例であり、プレーヤー配置空所の内部の左右には前後方向のガイド部を設置してガイド受けを有するプレーヤーユニットの抜き差しを行うとともに、プレーヤー配置空所内面に係合相手部を設けるものである。この構成は、テレビジョン受像機正面から光ディスク（例えばＤＶＤ）を挿入し、かつ、取り出すことができるので、操作性が良い。
【００１３】
プレーヤー配置空所を、プレーヤーユニットを嵌め込むために、テレビジョン受像機のモニターを立てるスタンドの台部分の上面に設ける場合、プレーヤーユニットの平面形状よりも一回り大きい平面形状を有する凹部とし、かつ、プレーヤー配置空所内面に係合相手部を設ける構成を取ることも可能である。この構成は、プレーヤーユニットをスタンドの台上に置く形態になり、設計と製造が容易である。
【００１４】
プレーヤー配置空所は、テレビジョン受像機自体の背面に設けることも可能であり、その場合には側面にプレーヤーユニットを挿入する開口を有するものとし、かつ、プレーヤー配置空所内面に係合相手部を設ける構成となる。プレーヤーユニットがテレビジョン受像機の背面に配置されるので、目立たず、スタンド類を使用しないテレビジョン受像機にも本発明を適用することができる。
【００１５】
本発明では、光ディスクプレーヤーとテレビジョン受像機を映像端子、音声端子及びＤＣ電源にて着脱可能に接続し、テレビジョン機能を損なうことなく光ディスクプレーヤーを取り外し可能とする。この光ディスクプレーヤーとテレビジョン受像機の着脱には、例えばジャックとプラグを適用することができ、また、電気基盤に備え付けられている端子による接続も可能であり、いずれもワンタッチ着脱が可能である。このために上記の形態に拘らず、プレーヤー配置空所は、開口内部等に映像端子、音声端子及びＤＣ電源への接続をジャックの抜き差しによって行うための開口部を有しているものとする。なお、映像端子、音声端子及びＤＣ電源は個別のジャックによって接続しても良いし、映像端子及び音声端子を複合的に取扱い１個のジャックで接続しても良い。
【発明の効果】
【００１６】
本発明は以上のように構成されかつ作用するものであるから、係合部と係合相手部における係合を外すことによって、ＤＶＤプレーヤーなどの光ディスクプレーヤーをテレビジョン受像機からワンタッチで取り外すことが可能であり、かつまた、映像端子用のジャック、音声端子用のジャック及びＤＣ電源ジャックは誰でも簡単に抜き差しすることができるので、光ディスクプレーヤーだけを取り外して修理に出すことができるという効果を奏する。また、本発明によれば、光ディスクプレーヤーの修理中でも、テレビジョン受像機テレビジョン受像機はそのまま残して置いて、放送番組の視聴に使用することができるので、光ディスクプレーヤー一体型テレビジョン受像機における光ディスクプレーヤーの修理の手間とコストを低減することができるという効果を奏する。
【発明を実施するための最良の形態】
【００１７】
以下図示の実施形態を参照して本発明をより詳細に説明する。図１ないし図５は、本発明の例１を示すもので、光ディスクプレーヤー一体型テレビジョン受像機１０はＤＶＤプレーヤーを具備しており、正面にモニター１１及びスピーカー１２を有し、また、背面には、チューナー、映像信号出力部、音声信号出力部、制御部、電源回路、音量制御部等、公知のテレビジョン受像機が具備するのと同様の回路構成から成る受像機のキャビネット１３を具備している。
【００１８】
例１の光ディスクプレーヤー一体型テレビジョン受像機１０は、スタンド１４によって背面の下部にて支持された、自立型のものである（図２）。スタンド１４は、安定した設置のために必要となり、かつ、光ディスクプレーヤーを納められる形状及び大きさの台部分１５を有しており、そこにプレーヤー配置空所１６が設けられている。本発明における光ディスクプレーヤーはディスク取り込みのスロット１８を有するスロットイン型のＤＶＤプレーヤーであり、テレビジョン受像機とは独立して機能し、ＤＶＤプレーヤーの映像信号及び音声信号をモニターに供給して映像と音声を視聴する構成を備えたプレーヤーユニット１７として示されているものとする。
【００１９】
例１におけるプレーヤー配置空所１６は、テレビジョン受像機１０のモニター１１を立てて支えているスタンドの台部分１５の正面に設けられ、かつその正面にプレーヤーユニット１７を挿入するために開口１６ａが開いている。このため、テレビジョン受像機正面側にてＤＶＤプレーヤーを嵌め込み、かつ、取り出すことができる。符号１９−１、１９−２はプラグ穴であり、映像端子用、音声端子両用の複合ジャック２１及びＤＣ電源用ジャック２３の接続のための差し込み口として、プレーヤーユニット１７の背面に設けられており、また、開口奥壁には上記のジャック２１、２３の位置に合わせて後部開口部２０が設けられている（図４）。
【００２０】
例１におけるプレーヤーユニット１７は、プレーヤー配置空所１６の内部の左右に設置した凹状のガイド部２４、２４によって案内されるガイド受け２５、２５を有し、それによってプレーヤーユニット１７の抜き差しを行う構成を有している（図４Ａ、Ｂ）。図示の例において、ガイド部２４はプレーヤー配置空所１６の底面と、左右側壁の前後方向に設けた多数の縦筋状の凸部２４ａの下端との間の空所に設定している。プレーヤーユニット１７には、その離脱を防止するために、プレーヤーユニット１７の前部かつ下面に係合部２６を設けるとともに、プレーヤー配置空所１６の前部かつ下面の内面には係合相手部２７を設けている（図３Ｂ）。係合部２６はプレーヤーユニット１７をプレーヤー配置空所１６に差し込む際に弾性変形して係合相手部２７と係合状態になり、また、係合を解除してプレーヤーユニット１７を取り外すことができる。
【００２１】
このような構成を有する例１の光ディスクプレーヤー一体型テレビジョン受像機１０では、プレーヤーユニット１７をプレーヤー配置空所１６に正面の開口１６ａからガイド部２４とガイド受け２５の係合下にスライドさせて差し込み、係合部２６と係合相手部２７を係合させることでテレビジョン受像機１０に一体的に組み込む。次いで、背面にて、後部開口部２０に位置しているプラグ穴１９−１、１９−２に、映像端子、音声端子両用のジャック２１及びＤＣ電源用ジャック２３をそれぞれ差し込んで、電気的接続を行う。
【００２２】
これで全体のセットアップが完了し、例１の光ディスクプレーヤー一体型テレビジョン受像機１０は、通電によって作動可能な状態になり、敢えて図示しないがリモートコントローラーによるオン、オフ、テレビジョン受像機１０の選局等一切の制御、そして光ディスクプレーヤーの作動を行うことができる。そして、光ディスクプレーヤーが作動不良を起こし、修理などの必要が生じたときには、プラグ穴１９−１、１９−２から映像端子用、音声端子両用のジャック２２及びＤＣ電源用ジャック２３をそれぞれ引き抜いて電気的接続を断つとともに、係合部２６と係合相手部２７の係合を解除して、プレーヤーユニット１７を取り外すことができる。従って、光ディスクプレーヤーのみを販売店等に送ることができ、テレビジョン受像機自体は機能しているので、番組を変わりなく視聴することができる。
【００２３】
図６は本発明の例２を示すものであり、光ディスクプレーヤー一体型テレビジョン受像機は、例１と同様のモニター及びスピーカーを有しているＤＶＤプレーヤーであるものとし、また、背面にはチューナー、映像信号出力部、音声信号出力部、制御部、電源回路、音量制御部等、公知のテレビジョン受像機が具備するのと同様の回路構成等を内蔵した受像機のキャビネットを具備しているものとする。例２の光ディスクプレーヤー一体型テレビジョン受像機も、スタンド３４によって背面の下部にて支持された、自立型のものであることに変わりはない。その他、光ディスクプレーヤーはディスク取り込みのスロット３８を有するスロットイン型の光ディスクプレーヤーであり、テレビジョン受像機とは独立して機能し、光ディスクプレーヤーの映像信号及び音声信号をモニターに供給して映像と音声を視聴する構成を備えたプレーヤーユニット３７として示されていることなども、特にことわらないものは例１と同様と考えて良い。
【００２４】
上記スタンド３４は安定した設置のために必要であるとともに、光ディスクプレーヤーを納められる形状及び大きさの台部分３５を有しており、スタンドの台部分３５の上面には、プレーヤーユニット３７の平面形状よりも一回り大きい平面形状を有する凹部から成るプレーヤー配置空所３６を設けている。例２のプレーヤー配置空所３６は、プレーヤーユニット３７の三方を取り囲み、正面と上面は露出している。プレーヤーユニット３７の正面に凹状の係合部３１を設けるとともに、プレーヤー配置空所正面に係合相手部３２を設けており、係合相手部３２は係合方向へ付勢されているものとする。また、開口内奥には、映像端子用のジャック２１、音声端子用のジャック２１及びＤＣ電源用ジャック２３への接続のための後部開口部４０が設けられ、プレーヤーユニット３７のセット時に、プラグ穴１９−１、１９−２が後部開口部４０に位置するようになっている。
【００２５】
このような構成を有する本発明の例２では、台部分３５の上面に設けられたプレーヤー配置空所の凹部３６にプレーヤーユニット３７を前上方から嵌め込み、プレーヤーユニット３７の係合部３１と台部分３５の係合相手部３２を係合させ、後部開口部４０に位置しているプラグ穴１９−１、１９−２に映像端子、音声端子両用のジャック２１及びＤＣ電源用ジャック２３をそれぞれ差し込んで、電気的接続を行う。これによって作動可能な状態になり、テレビジョン受像機の選局等及び光ディスクプレーヤーの作動等一切の制御を例１と同様に行うことができる。また、光ディスクプレーヤー３７が作動不良を起こし、修理などの必要が生じたときには、プラグ穴１９−１、１９−２から映像端子用、音声端子用のジャック２１及びＤＣ電源用ジャック２３をそれぞれ引き抜いて、電気的接続を断つとともに、係合部３１と係合相手部３２の係合を解除して、プレーヤーユニット３７を取り外すことができる。
【００２６】
図７は本発明の例３を示すものであり、光ディスクプレーヤー一体型テレビジョン受像機は、例１と同様のモニター及びスピーカーを有しているＤＶＤプレーヤーであるものとし、また、背面にはチューナー、映像信号出力部、音声信号出力部、制御部、電源回路、音量制御部等、公知のテレビジョン受像機が具備するのと同様の回路構成等を内蔵した受像機のキャビネットを具備しているものとする。例３の光ディスクプレーヤー一体型テレビジョン受像機は、スタンド４４によって背面の下部にて支持された例１例２と同様の自立型のものである。また、光ディスクプレーヤーはディスク取り込みのスロット４８を有するスロットイン型の光ディスクプレーヤーであり、テレビジョン受像機１０′とは独立して機能し、光ディスクプレーヤーの映像信号及び音声信号をモニターに供給して映像と音声を視聴する構成を備えたプレーヤーユニット４７として示されていることなども、特にことわらない限り例１と同様である。
【００２７】
上記スタンド４４は安定した設置のために必要な形状及び大きさ及び重量を備えた台部分４５を有している。この例３においては、受像機のキャビネット１３の背面に、プレーヤーユニット４７の平面形状よりも一回り大きい平面形状と厚みを有するプレーヤー配置空所４６を設けている。例３のプレーヤー配置空所４６は、プレーヤーユニッ４７の正面から見て右方を除いた全面を取り囲み、右方はプレーヤーユニットを挿入する開口４６ａとして開いている。プレーヤーユニット４７に係合部４１を設けるとともに、プレーヤー配置空所内面に係合相手部４２を設け、また、取り出しのためには、プレーヤーユニット４７を押し出す公知の手段がプレーヤー配置空所４６に設けられている。さらに、開口内奥の背面側には、映像端子、音声端子両用のジャック２１及びＤＣ電源用ジャック２３への接続のための後部開口部５０が設けられ、プレーヤーユニット３７のセット時に、プラグ穴１９−１、１９−２が後部開口部５０に位置する。
【００２８】
本発明の例３では、受像機のキャビネット１３の背面に設けられたプレーヤー配置空所４６にプレーヤーユニット４７を右方の開口４６ａから挿入し、さらに係合部４１と係合相手部４２を係合させ、後部開口部５０に位置しているプラグ穴１９−１、１９−２に映像端子用、音声端子用のジャック２２及びＤＣ電源用ジャック２３をそれぞれ差し込んで、電気的接続を行う。これによって作動可能な状態になり、テレビジョン受像機１０″の選局等及び光ディスクプレーヤーの作動等一切の制御を例１と同様に行うことができる。光ディスクプレーヤー４７が作動不良を起こし、修理などの必要が生じたときには、プラグ穴１９−１、１９−２、１９−３から映像端子、音声端子両用のジャック２１及びＤＣ電源用ジャック２３をそれぞれ引き抜いて電気的接続を断つとともに、係合部４１と係合相手部４２の係合を解除して、プレーヤーユニット４７を取り外すことができる。
【００２９】
このように従来のテレビジョン受像機に内蔵されたＤＶＤプレーヤーなどは、電気製品の安全上、製品の分解が禁止されているのに対して、本発明の光ディスクプレーヤー一体型テレビジョン受像機１の場合、光ディスクプレーヤーユニット１７、３７、４７だけを極容易かつ安全にテレビジョン受像機１０、１０′から取り外し、修理等に出すことが可能になるものである。本発明において、スロットイン型光ディスクプレーヤーはテレビジョン受像機とは独立したプレーヤーユニットとして構成されており、このことは図５に示すように、プレーヤーユニット１７、３７、４７とテレビジョン受像機１０、１０′が、図５に示す電源供給部分５１のみで機能を共用し、テレビジョン受像機本体の基板設計とＤＶＤプレーヤーの基板設計が独立していることを意味する。しかしＤＶＤプレーヤーの電力をこの例のようにテレビジョン受像機本体の電源から取る構成に限るものではなく、ＤＶＤプレーヤーに例えばＤＣ１２Ｖの電源用ジャックを追加して、図示しないＡＣアダプターから電源供給を受ける構成とすることも容易に実施可能である。なお、プレーヤーユニット１７、３７をスタンド１４、３４に組み込んだ本発明の例１と例２では、プレーヤーユニット１７、３７が相応の重量を有しており、スタンド用ウエイトとしても機能するので、スタンド１４、３４を従来のように重く作らなくても良い。
【産業上の利用可能性】
【００３０】
本発明の光ディスクプレーヤー一体型テレビジョン受像機は上記のように構成され、かつ、作用するもので、接続には様々なプラグとジャックやＵＳＢケーブル類を使用することが可能であり、接続機器としてはあらゆる光ディスクプレーヤーとテレビジョンが対象になる。例えば、放送受信用のテレビジョンのほかに、ＴＶゲーム用機器にも適用できる余地がある。
【図面の簡単な説明】
【００３１】
【図１】本発明に係る光ディスクプレーヤー一体型テレビジョン受像機の例１を示す斜視図である。
【図２】同上の一部を下方から見た斜視図である。
【図３】同じく例１の説明図で、Ａは全体の平面図、Ｂはプレーヤーユニットの係合部を示す図３のＩＩＩ−ＩＩＩ線断面図である。
【図４】同じく例１の説明図で、Ａは図３のＩＶ−ＩＶ線断面図、Ｂは係合部の拡大図である。
【図５】同じく例１のプレーヤーユニットの説明のための正面ブロック図である。
【図６】本発明に係る光ディスクプレーヤー一体型テレビジョン受像機の要部の例２を示すもので、Ａはプレーヤーユニットと台部を示す平面図、Ｂは側面図である。
【図７】本発明に係る光ディスクプレーヤー一体型テレビジョン受像機の要部の例３を示す斜視図である。
【符号の説明】
【００３２】
１０、１０′  光ディスクプレーヤー一体型テレビジョン受像機
１１  モニター
１２  スピーカー
１３  キャビネット
１４、３４、４４  スタンド
１５、３５、４５  台部分
１６、３６、４７  プレーヤー配置空所
１７、３７、４７  プレーヤーユニット  
１８、３８、４８  スロット
１９−１、１９−２  プラグ穴
２０、４０、５０  後部開口部
２１  映像端子、音声端子両用ジャック
２３  ＤＣ電源用ジャック
２４  ガイド部
２５  ガイド受け
２６、３１、４１  係合部
２７、３２、４２  係合相手部
５１  電源供給部分
【図１】
2010219939.tif 000003
【図２】
2010219939.tif 000004
【図３】
2010219939.tif 000005
【図４】
2010219939.tif 000006
【図５】
2010219939.tif 000007
【図６】
2010219939.tif 000008
【図７】
2010219939.tif 000009